【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
シート搬送路のシートを搬送する第１搬送部と、前記第１搬送部により搬送されるシートの斜行を補正する斜行補正部と、前記斜行補正部により斜行が補正されたシートを挟持して搬送する第２搬送部と、を備えたシート搬送装置において、
前記斜行補正部は、前記第１搬送部によって搬送されるシートの先端が当接する複数の当接面が周方向に形成された回動自在のシャッタ部材と、前記第１搬送部に搬送されるシートの先端が前記シャッタ部材の当接面に当接する当接位置に前記当接面を位置させる付勢力を前記シャッタ部材に与える付勢部と、を備え、
前記付勢部は、
前記シャッタ部材の回転軸に連結された第１回転体と、
前記第１回転体が回転すると前記当接面の数と同じ数の変速比で回転するように前記第１回転体と連結される第２回転体と、
前記複数の当接面の内の１つの当接面に当接したシートの押圧力により前記シャッタ部材が回転方向に回転するときには前記シートに対する反力となるように前記第２回転体を付勢し、前記シャッタ部材の回転途中で前記第２搬送部にシートの先端が挟持されると、前記第２回転体に対する付勢力を、前記シャッタ部材を前記回転方向に回転させる方向に切り替えて前記複数の当接面の他の当接面を前記当接位置に位置させる付勢バネと、を備えた、
ことを特徴とするシート搬送装置。
【請求項２】
前記第２回転体は、回転中心から偏心して配置された連結部を有し、
前記付勢バネは、一端が位置決め固定され、他端が、前記第１回転体よりも回転角度の大きい前記第２回転体の回転の途中で上死点を越えさせて前記他の当接面が前記当接位置に位置するように前記連結部に連結される、
ことを特徴とする請求項１に記載のシート搬送装置。
【請求項３】
前記シャッタ部材は、前記第１搬送部の一方の回転体の回転中心と略同一の回転中心で回転し、
前記シャッタ部材の回転軸は、前記第１搬送部の一方の回転体と接触しないように、前記一方の回転体の内部に前記シャッタ部材の回転軸が挿入される、
ことを特徴とする請求項１又は２に記載のシート搬送装置。
【請求項４】
シート搬送路のシートを搬送する搬送部と、前記搬送部により搬送されるシートの斜行を補正する斜行補正部と、を備えたシート搬送装置において、
前記斜行補正部は、
シートの先端が当接し得る複数の当接面が周方向に形成され、前記複数の当接面の内の当接位置に位置した１つの当接面にシートの先端が当接して回転するシャッタ部材と、
前記シャッタ部材の回転軸に連結された第１回転体と、
前記第１回転体が回転すると前記当接面の数と同じ数の変速比で回転するように前記第１回転体と連結される第２回転体と、
前記複数の当接面の内の１つの当接面が前記当接位置に位置するように、前記第２回転体を付勢する付勢部材と、を有する、
ことを特徴とするシート搬送装置。
【請求項５】
前記第２回転体は、回転中心から偏心して配置された連結部を有し、
前記付勢部材は、一端が位置決め固定され、他端が前記連結部に連結される、付勢バネである、
ことを特徴とする請求項４に記載のシート搬送装置。
【請求項６】
前記第１回転体は第１ギアであり、前記第２回転体は前記第１ギアと噛み合う第２ギアである、
ことを特徴とする請求項１から５のいずれか１項に記載のシート搬送装置。
【請求項７】
前記シャッタ部材は、同軸に、軸方向に並んで複数設けられる、
ことを特徴とする請求項１から６のいずれか１項に記載のシート搬送装置。
【請求項８】
請求項１から７のいずれか１項に記載のシート搬送装置と、前記シート搬送装置の斜行補正部により斜行が補正されたシートに画像を形成する画像形成部と、を有する、
ことを特徴とする画像形成装置。
【請求項９】
シート先端を検知するシート検知部材と、前記シート検知部材によって検知信号を発生する検知センサと、を有し、前記検知センサの検知信号によって前記画像形成部が画像の形成を開始し、前記シート検知部材が前記シャッタ部材と連動して動作する、
ことを特徴とする請求項８に記載の画像形成装置。
【手続補正２】
【補正対象書類名】明細書
【補正対象項目名】０００９
【補正方法】変更
【補正の内容】
【０００９】
本発明は、シート搬送路のシートを搬送する第１搬送部と、前記第１搬送部により搬送されるシートの斜行を補正する斜行補正部と、前記斜行補正部により斜行が補正されたシートを挟持して搬送する第２搬送部と、を備えたシート搬送装置において、前記斜行補正部は、前記第１搬送部によって搬送されるシートの先端が当接する複数の当接面が周方向に形成された回動自在のシャッタ部材と、前記第１搬送部に搬送されるシートの先端が前記シャッタ部材の当接面に当接する当接位置に前記当接面を位置させる付勢力を前記シャッタ部材に与える付勢部と、を備え、前記付勢部は、前記シャッタ部材の回転軸に連結された第１回転体と、前記第１回転体が回転すると前記当接面の数と同じ数の変速比で回転するように前記第１回転体と連結される第２回転体と、前記複数の当接面の内の１つの当接面に当接したシートの押圧力により前記シャッタ部材が回転方向に回転するときには前記シートに対する反力となるように前記第２回転体を付勢し、前記シャッタ部材の回転途中で前記第２搬送部にシートの先端が挟持されると、前記第２回転体に対する付勢力を、前記シャッタ部材を前記回転方向に回転させる方向に切り替えて前記複数の当接面の他の当接面を前記当接位置に位置させる付勢バネと、を備えた、ことを特徴とする。
【手続補正３】
【補正対象書類名】明細書
【補正対象項目名】００５４
【補正方法】変更
【補正の内容】
【００５４】
図１に示すように、画像形成装置１００Ａは、シート給送部８と、画像形成部１４と、定着部１０と、シート搬送装置としてのシート搬送部９Ａと、シート排出部１３と、を備える。シート搬送部９Ａは、シート搬送路１５ａと、両面搬送路１５ｂと、斜送ローラ対１６と、Ｕターンローラ対１７と、複数のローラ対１８，１９と、斜行補正部２００Ａと、を備える。図１４（ａ）及び図１４（ｂ）に示すように、斜行補正部２００Ａは、給紙フレーム２０と、ガイドフレーム２８と、複数のシャッタ部材２３と、検知センサ部３０と、を備える。
【手続補正４】
【補正対象書類名】明細書
【補正対象項目名】００６６
【補正方法】変更
【補正の内容】
【００６６】
また、本実施形態においては、シャッタ部材２３に４つの当接面を設けたが本発明においてはこれに限定されない。当接面の数は、当接面の数と同じ数の整数比で第１回転体に対する第２回転体のギア比を設定して当接面の切り替えにより第２回転体が回転するように構成できればよい。
【手続補正５】
【補正対象書類名】明細書
【補正対象項目名】００７１
【補正方法】変更
【補正の内容】
【００７１】
９，９Ａ    シート搬送部（シート搬送装置）
１４    画像形成部
１７    Ｕターンローラ対１７（第１搬送部）
１８    搬送コロ（第２搬送部）
１９    搬送ローラ（第２搬送部）
２３    シャッタ部材（斜行補正部材）
２３ａ    当接面
２４    シャッタギア（第１回転体）
２５    バネ架け部
２６    シャッタ駆動部材（第２回転体）
２６ａ    ギア
２６ｃ    連結部
２７    シャッタバネ（付勢バネ）
１００，１００Ａ    画像形成部
２００，２００Ａ    斜行補正部
２２０，２２０Ａ    付勢部
Ｓ    シート
【手続補正６】
【補正対象書類名】図面
【補正対象項目名】図１４
【補正方法】変更
【補正の内容】
【図１４】
2012193019.tif 000001
【手続補正７】
【補正対象書類名】図面
【補正対象項目名】図１８
【補正方法】変更
【補正の内容】
【図１８】
2012193019.tif 000002